(57)【要約】【課題】印刷物をラミネート加工した後に入力画像の色を高精度に再現させるプロファイルを生成すること。【解決手段】印刷方法は、複数パッチのカラーチャートＣＴ０を被記録媒体ＭＥ１に印刷し、印刷されたカラーチャートＣＴ１を測色してラミネート加工前の第１の分光反射率Ｒ１を取得し、ラミネート加工されたカラーチャートＣＴ２を測色してラミネート加工後の第２の分光反射率Ｒ２を取得し、第１の分光反射率Ｒ１から第２の分光反射率Ｒ２に変換する分光反射率変換式を作成し、分光反射率変換式を用いて印刷物のラミネート加工後の分光反射率を算出し、ラミネート加工後の分光反射率と観察光源の光源分布とに基づいてラミネート加工後に入力画像ＩＭ０の色を再現させるラミネート加工後プロファイルを作成し、ラミネート加工前プロファイルとラミネート加工後プロファイルとからデバイスリンクプロファイル６４０を作成する。【選択図】図５
2020182050.tif 000002
【特許請求の範囲】
【請求項１】
入力画像をラミネート加工させる被記録媒体に印刷する場合の印刷方法であって、
複数パッチのカラーチャートを前記被記録媒体に印刷するカラーチャート印刷工程と、
印刷された前記カラーチャートを測色してラミネート加工前の第１の分光反射率を取得する第１分光反射率取得工程と、
ラミネート加工された前記カラーチャートを測色してラミネート加工後の第２の分光反射率を取得する第２分光反射率取得工程と、
前記第１の分光反射率から前記第２の分光反射率に変換する分光反射率変換式を作成する分光反射率変換式作成工程と、
前記分光反射率変換式を用いて前記入力画像が印刷される印刷物の前記ラミネート加工後の分光反射率を算出するラミネート加工後分光反射率算出工程と、
算出された前記ラミネート加工後の分光反射率と観察光源の光源分布とに基づいてラミネート加工後に前記入力画像の色を再現させるラミネート加工後プロファイルを作成するプロファイル作成工程と、
ラミネート加工前に前記入力画像の色を再現させるラミネート加工前プロファイルと前記ラミネート加工後プロファイルとからデバイスリンクプロファイルを作成するデバイスリンクプロファイル作成工程と、
を有することを特徴とする印刷方法。
【請求項２】
前記分光反射率変換式作成工程は、
可視光線における任意の間隔の波長毎に前記分光反射率変換式を作成することを特徴とする請求項１に記載の印刷方法。
【請求項３】
前記分光反射率変換式作成工程は、
前記分光反射率変換式を作成した結果の複数種類をデータベースに格納し、前記データベースを基に、機械学習を用いて、前記分光反射率変換式を作成することを特徴とする請求項１又は請求項２に記載の印刷方法。
【請求項４】
前記ラミネート加工後分光反射率算出工程は、
機械学習を用いて、前記ラミネート加工後の分光反射率を算出することを特徴とする請求項１から請求項３のいずれか一項に記載の印刷方法。
【請求項５】
前記ラミネート加工後プロファイルにより変換された前記入力画像を印刷した印刷物を前記ラミネート加工後に測色した分光反射率の結果と、
前記ラミネート加工前プロファイルにより変換された前記入力画像を印刷した印刷物を測色した分光反射率の結果と、
の色差ΔＥは、前記ラミネート加工後の印刷物のガマット内にある色において、２以下であることを特徴とする請求項１から請求項４のいずれか一項に記載の印刷方法。
【請求項６】
入力画像をラミネート加工させる被記録媒体に印刷するための印刷データを生成する画像処理装置であって、
印刷された複数パッチのカラーチャートをラミネート加工前にて測色された第１の分光反射率と、前記カラーチャートをラミネート加工後にて測色された第２の分光反射率と、に基づいて前記第１の分光反射率から前記第２の分光反射率に変換する分光反射率変換式を作成し、
前記分光反射率変換式を用いて前記入力画像が印刷される印刷物のラミネート加工後の分光反射率を算出し、
算出された前記ラミネート加工後の分光反射率と観察光源の光源分布とに基づいてラミネート加工後に前記入力画像の色を再現させるラミネート加工後プロファイルを作成し、
ラミネート加工前に前記入力画像の色を再現させるラミネート加工前プロファイルと前記ラミネート加工後プロファイルとに基づいてデバイスリンクプロファイルを作成する、
処理部を備えることを特徴とする画像処理装置。
【発明の詳細な説明】
【技術分野】
【０００１】
本発明は、印刷方法、及び画像処理装置に関する。
【背景技術】
【０００２】
インクジェット方式で印刷された印刷物には、画像の耐候性を向上させるためにラミネートフィルムなどの保護膜で被覆する、ラミネート加工が施されることがある。ラミネート加工後に印刷物の入力画像の色を再現させる色再現性を向上させるために、例えば、特許文献１には、印刷物の分光反射率を取得し、保護膜の光学物性値を推測し、取得された印刷物の分光反射率と推定された保護膜の光学物性値とを用いて保護膜付印刷物の光学反射率を予測する方法が開示されている。
【先行技術文献】
【特許文献】
【０００３】
【特許文献１】特開２０１１−７５３０４号公報
【発明の概要】
【発明が解決しようとする課題】
【０００４】
しかしながら、特許文献１に示すような、ラミネート加工後の印刷物の分光反射率を予測するだけでは、ラミネート加工後に入力画像の色を精度良く再現させるプロファイルを生成することが困難であった。
【課題を解決するための手段】
【０００５】
本願の印刷方法は、入力画像をラミネート加工させる被記録媒体に印刷する場合の印刷方法であって、複数パッチのカラーチャートを前記被記録媒体に印刷するカラーチャート印刷工程と、印刷された前記カラーチャートを測色してラミネート加工前の第１の分光反射率を取得する第１分光反射率取得工程と、ラミネート加工された前記カラーチャートを測色してラミネート加工後の第２の分光反射率を取得する第２分光反射率取得工程と、前記第１の分光反射率から前記第２の分光反射率に変換する分光反射率変換式を作成する分光反射率変換式作成工程と、前記分光反射率変換式を用いて前記入力画像が印刷される印刷物の前記ラミネート加工後の分光反射率を算出するラミネート加工後分光反射率算出工程と、算出された前記ラミネート加工後の分光反射率と観察光源の光源分布とに基づいてラミネート加工後に前記入力画像の色を再現させるラミネート加工後プロファイルを作成するプロファイル作成工程と、ラミネート加工前に前記入力画像の色を再現させるラミネート加工前プロファイルと前記ラミネート加工後プロファイルとからデバイスリンクプロファイルを作成するデバイスリンクプロファイル作成工程と、を有することを特徴とする。
【０００６】
上記の印刷方法において、前記分光反射率変換式作成工程は、可視光線における任意の間隔の波長毎に前記分光反射率変換式を作成することが好ましい。
【０００７】
上記の印刷方法において、前記分光反射率変換式作成工程は、前記分光反射率変換式を作成した結果の複数種類をデータベースに格納し、前記データベースを基に、機械学習を用いて、前記分光反射率変換式を作成することが好ましい。
【０００８】
上記の印刷方法において、前記ラミネート加工後分光反射率算出工程は、機械学習を用いて、前記ラミネート加工後の分光反射率を算出することが好ましい。
【０００９】
上記の印刷方法において、前記ラミネート加工後プロファイルにより変換された前記入力画像を印刷した印刷物を前記ラミネート加工後に測色した分光反射率の結果と、前記ラミネート加工前プロファイルにより変換された前記入力画像を印刷した印刷物を測色した分光反射率の結果と、の色差ΔＥは、前記ラミネート加工後の印刷物のガマット内にある色において、２以下であることが好ましい。
【００１０】
本願の画像処理装置は、入力画像をラミネート加工させる被記録媒体に印刷するための印刷データを生成する画像処理装置であって、印刷された複数パッチのカラーチャートをラミネート加工前にて測色された第１の分光反射率と、前記カラーチャートをラミネート加工後にて測色された第２の分光反射率と、に基づいて前記第１の分光反射率から前記第２の分光反射率に変換する分光反射率変換式を作成し、前記分光反射率変換式を用いて前記入力画像が印刷される印刷物のラミネート加工後の分光反射率を算出し、算出された前記ラミネート加工後の分光反射率と観察光源の光源分布とに基づいてラミネート加工後に前記入力画像の色を再現させるラミネート加工後プロファイルを作成し、ラミネート加工前に前記入力画像の色を再現させるラミネート加工前プロファイルと前記ラミネート加工後プロファイルとに基づいてデバイスリンクプロファイルを作成する、処理部を備えることを特徴とする。
【図面の簡単な説明】
【００１１】
【図１】実施形態に係る画像処理の概要を模式的に例示する図。
【図２】画像処理装置の概略構成を示すブロック図。
【図３】ラミネート加工させる印刷物を印刷する場合の印刷方法を説明するフローチャート図。
【図４】第１及び第２の分光反射率を取得する工程を示す図。
【図５】図１における第２色分版テーブルの詳細を示す図。
【図６】波長に対する分光反射率を示す図。
【図７】第１の分光反射率と第２の分光反射率の関係を示す図。
【図８】デバイスリンクテーブルを説明する図。
【発明を実施するための形態】
【００１２】
以下、本発明を具体化した実施形態について、図面を参照して説明する。
【００１３】
実施形態
図１は、実施形態に係る画像処理の概要を模式的に例示する図である。まず、画像処理の概要について図１を参照しながら説明する。
【００１４】
図１に示す画像処理においては、後述する画像処理装置１００に実現されるＲＩＰ（Raster Image Processor）４００で入力画像ＩＭ０の色彩値ＲＧＢｉｎからＣＭＹＫ（Ｃ：シアン、Ｍ：マゼンタ、Ｙ：イエロー、及び、Ｋ：ブラック）の印刷色を表す色彩値ｃｍｙｋ１に変換される。出力された色彩値ｃｍｙｋ１は、第１色分版テーブル７５０ａによってラミネート加工しない状態の印刷画像ＩＭ１で入力画像ＩＭ０の色を再現させるインク使用量ＩＮＫ１、又は第２色分版テーブル７５０ｂによってラミネート加工後の状態の印刷画像ＩＭ１’で入力画像ＩＭ０の色を再現させるインク使用量ＩＮＫ２に変換され、印刷装置２００によって画像が形成される。
【００１５】
ＲＩＰ４００は、ハードウエアもしくはソフトウエアで構成される。なお、ＲＩＰ４００に入力される入力画像ＩＭ０の色彩値は、ＲＧＢ色空間やＣＭＹＫ色空間などであってもよい。また、ＲＩＰ４００からの出力される色彩値は、ＣＭＹＫ色空間やＲＧＢ色空間などであってもよい。本実施形態では、入力される色彩値はＲＧＢ色空間であり、出力される色彩値はＣＭＹＫ色空間であるものとして説明する。
【００１６】
ＲＩＰ４００は、第１プロファイル６１０と第２プロファイル６２０を有している。第１プロファイル６１０は、入力画像ＩＭ０を取り扱う特定の機器に依存するＲＧＢ色空間などの機器依存色空間と機器に依存しないＣＩＥ（国際照明委員会）Ｌ*ａ*ｂ*色空間などの機器非依存色空間との相関関係を記述したＩＣＣ（International Color Consortium）プロファイルである。以下の説明では、ＣＩＥ  Ｌ*ａ*ｂ*色空間をＬＡＢ色空間と記す。第２プロファイル６２０は、印刷装置２００に依存するＣＭＹＫ色空間などの機器依存色空間とＬＡＢ色空間などの機器非依存色空間との相関関係を記述したＩＣＣプロファイルである。
【００１７】
入力画像ＩＭ０の色彩値ＲＧＢｉｎは、第１プロファイル６１０にて機器依存色空間の色彩値から機器非依存色空間の色彩値に変換するＡ２Ｂテーブルに従ってＬＡＢ色空間の色彩値Ｌａｂに変換され、第２プロファイル６２０にて機器非依存色空間の色彩値から印刷装置２００に依存する機器依存色空間の色彩値に変換するＢ２Ａテーブルに従ってＣＭＹＫ色空間の色彩値ｃｍｙｋ１に変換される。
【００１８】
色彩値ｃｍｙｋ１は、第１色分版テーブル７５０ａ又は第２色分版テーブル７５０ｂによりインク使用量ＩＮＫ１，ＩＮＫ２を表すデータに変換されて印刷装置２００に送信され、印刷に使用される。印刷装置２００は、ＣＭＹＫの印刷色の他、Ｃよりも低濃度のＬｃ（ライトシアン）、Ｍよりも低濃度のＬｍ（ライトマゼンタ）、Ｙよりも高濃度のＤｙ（ダークイエロー）、Ｋよりも低濃度のＬｋ（ライトブラック）などを有する。画像処理装置１００は、第１色分版テーブル７５０ａに従って色彩値ｃｍｙｋ１を濃色と淡色に分版すると、印刷画像ＩＭ１に色彩値ｃｍｙｋ１を再現させることができる。印刷装置２００がＣ，Ｍ，Ｙ，Ｋ，Ｌｃ，Ｌｍの計６色のインクを使用する場合、例えば、第１色分版テーブル７５０ａは、ＣＭＹＫ色空間の色彩値ｃｍｙｋ１とＣ，Ｍ，Ｙ，Ｋ，Ｌｃ，Ｌｍそれぞれのインク使用量ＩＮＫ１を表す階調値とが対応付けられたテーブルである。
【００１９】
図２は、画像処理装置の概略構成を示すブロック図である。次に、画像処理装置１００の概略構成について図２を参照しながら説明する。
【００２０】
画像処理装置１００は、処理部としてのＣＰＵ（Central Processing Unit）１１１、ＲＯＭ（Read Only Memory）１１２、ＲＡＭ（Random Access Memory）１１３、記憶装置１１４、入力装置１１５、通信Ｉ／Ｆ（インターフェイス）１１８、測色装置用のＩ／Ｆ１１９、表示装置１３０を備える。画像処理装置１００は、ＩＣＣ（International Color Consortium）プロファイルを用いたカラーマネジメントや印刷装置２００に印刷を行わせる印刷ジョブなどの制御を行う。画像処理装置１００の各部は、バスを介して接続され、互いに情報を入出力可能とされている。ＲＯＭ１１２とＲＡＭ１１３と記憶装置１１４はメモリーであり、少なくともＲＯＭ１１２とＲＡＭ１１３は半導体メモリーである。表示装置１３０には、液晶表示パネルなどを用いることができる。画像処理装置１００は、パーソナルコンピューターを用いて構成することができる。画像処理装置１００の一部又は全部が印刷装置２００に組み込まれた構成であってもよい。
【００２１】
記憶装置１１４は、図示しないＯＳ（オペレーティングシステム）、ＩＣＣプロファイル、第１色分版テーブル７５０ａ、第２色分版テーブル生成プログラムなどを記憶している。記憶装置１１４には、フラッシュメモリーなどの不揮発性半導体メモリー、ハードディスクなどの磁気記憶装置を用いることができる。ＲＡＭ１１３は、ＣＰＵ１１１が動作するプログラムを格納する領域や動作する作業領域などを確保する記憶媒体である。
ＣＰＵ１１１は、記憶装置１１４に記憶されている情報を適宜、ＲＡＭ１１３に読み出し、読み出したプログラムを実行することにより各種処理を行い、印刷装置２００に印刷を実行させる印刷データを生成する。
【００２２】
入力装置１１５には、ポインティングデバイス、キーボードを含むハードキー、表示パネルの表面に貼り付けられたタッチパネルなどを用いることができる。通信Ｉ／Ｆ１１８は、印刷装置２００の通信Ｉ／Ｆ２１０に接続され、印刷装置２００に対して印刷データなどの情報を入出力する。測色装置用のＩ／Ｆ１１９は、測色装置１２０に接続され、測色装置１２０から測色値を含む測色データを入手する。Ｉ／Ｆ１１８，１１９，２１０の規格には、ＵＳＢ（Universal Serial Bus）、近距離無線通信規格などを用いることができる。Ｉ／Ｆ１１８，１１９，２１０の通信は、有線でもよいし、無線でもよく、ＬＡＮ（Local Area Network）やインターネットなどのネットワーク通信でもよい。
【００２３】
測色装置１２０は、被記録媒体ＭＥ１に形成されたカラーチャートＣＴ１，ＣＴ２の各パッチを測色して分光反射率Ｒ１，Ｒ２や測色値を出力可能である。パッチは、色票とも呼ばれる。測色値は、例えば、ＬＡＢ色空間における明度Ｌ及び色度座標ａ，ｂを表す値とされる。画像処理装置１００は、測色装置１２０から測色データを取得して各種処理を行う。なお、測色装置１２０は、印刷装置２００に組み込まれた構成であってもよい。
【００２４】
印刷装置２００は、画像処理装置１００で生成された印刷データに基づいて、各種インクを記録ヘッド２２０から吐出して印刷画像ＩＭ１，ＩＭ２を形成するインクジェットプリンターである。例えば、Ｃインク、Ｍインク、Ｙインク、及び、Ｋインクを吐出する記録ヘッド２２０の場合、記録ヘッド２２０は、インクカートリッジＣｃ，Ｃｍ，Ｃｙ，ＣｋからそれぞれＣＭＹＫのインクが供給され、ノズルＮｃ，Ｎｍ，Ｎｙ，ＮｋからそれぞれＣＭＹＫのインク滴２８０を吐出する。インク滴２８０が被記録媒体ＭＥ１に着弾すると、インクドットが被記録媒体ＭＥ１に形成される。その結果、被記録媒体ＭＥ１上に印刷画像ＩＭ１，ＩＭ２を有する印刷物が得られる。
【００２５】
図３は、ラミネート加工させる印刷物を印刷する場合の印刷方法を説明するフローチャート図である。図４は、第１及び第２の分光反射率を取得する工程を示す図である。図５は、図１における第２色分版テーブルの詳細を示す図である。図６は、波長に対する分光反射率を示す図である。図７は、第１の分光反射率と第２の分光反射率の関係を示す図である。図８は、デバイスリンクテーブルを説明する図である。次に、ラミネート加工する印刷物の印刷方法を図３から図８を参照しながら説明する。
【００２６】
ステップＳ１０１は、複数パッチのカラーチャートを印刷するカラーチャート印刷工程である。作業者は、複数パッチを有するカラーチャートの印刷を行う。カラーチャートとしては、例えば、１４８５パッチを含む「ISO 12642-2 / ECI 2002」テストチャートなどを採用することができる。カラーチャートのカラーチャート画像ＣＴ０の色彩値ＲＧＢｉｎは、第１プロファイル６１０に含まれるＡ２Ｂテーブルに基づいて機器依存のＲＧＢ色空間から機器非依存のＬＡＢ色空間の色彩値Ｌａｂに変換され、さらにラミネート加工前プロファイルとしての第２プロファイル６２０に含まれるＢ２Ａテーブルに基づいて印刷装置２００に依存する機器依存のＣＭＹＫ色空間の色彩値ｃｍｙｋ１に変換される。色彩値ｃｍｙｋ１は、第１色分版テーブル７５０ａに基づいてインク使用量ＩＮＫ１に変換され、印刷装置２００に印刷を実行させる印刷データが生成される。印刷装置２００が印刷データに基づいて各種のインクを吐出することで被記録媒体ＭＥ１上に印刷された印刷物であるカラーチャートＣＴ１を得る。
【００２７】
ステップＳ１０２は、印刷されたカラーチャートＣＴ１を測色してラミネート加工前の第１の分光反射率Ｒ１を取得する第１分光反射率取得工程である。作業者は、画像処理装置１００に接続された測色装置１２０を用いて印刷されたカラーチャートＣＴ１を測色する。各パッチを測色して得られた分光反射率のデータは、ラミネート加工前の第１の分光反射率Ｒ１として記憶装置１１４に格納される。
【００２８】
ステップＳ１０３は、ラミネート加工されたカラーチャートＣＴ２を測色してラミネート加工後の第２の分光反射率Ｒ２を取得する第２分光反射率取得工程である。作業者は、ラミネート装置３００を用いてカラーチャートＣＴ１の印刷された被記録媒体ＭＥ１をラミネート加工し、ラミネート加工された印刷物であるカラーチャートＣＴ２を得る。作業者は、画像処理装置１００に接続された測色装置１２０を用いてラミネート加工されたカラーチャートＣＴ２を測色する。各パッチを測色して得られた分光反射率のデータは、ラミネート加工後の第２の分光反射率Ｒ２として記憶装置１１４に格納される。
【００２９】
ステップＳ１０４は、第１の分光反射率Ｒ１から第２の分光反射率Ｒ２に変換する分光反射率変換式を作成する分光反射率変換式作成工程である。図６は、一例として、いずれのインクも吐出しないパッチ、すなわち紙白の被記録媒体ＭＥ１の分光反射率を例示する。図６の横軸は波長を表し、縦軸は分光反射率を表す。実線はラミネート加工前の第１の分光反射率Ｒ１を示し、破線はラミネート加工後の第２の分光反射率Ｒ２を示す。図６に示すように、ラミネート加工前後で分光反射率が異なることにより、色が変化する。
【００３０】
図７は、各パッチにおける同一波長の分光反射率を示す。図７の横軸は第１の分光反射率Ｒ１を表し、縦軸は第２の分光反射率Ｒ２を表す。図７に示す各測定点は、各パッチの波長５７０ｎｍにおける第１の分光反射率Ｒ１と第２の分光反射率Ｒ２との関係を例示す。ＣＰＵ１１１は、記憶装置１１４に格納された第１の分光反射率Ｒ１と第２の分光反射率Ｒ２とを参照し、第１の分光反射率Ｒ１から第２の分光反射率Ｒ２に変換する分光反射率変換式を作成する。分光反射率変換式は、例えば、１次関数でＲ２＝ａＲ１＋ｂの形で表すことができる。
【００３１】
分光反射率変換式作成工程では、可視光線における任意の間隔の波長毎に分光反射率変換式が作成される。ラミネート加工前後の分光反射率の変化は波長に依存するため、ＣＰＵ１１１は、例えば、可視光線の波長範囲３８０ｎｍ〜７３０ｎｍを１０ｎｍ間隔の波長毎に分光反射率変換式を生成する。ステップＳ１０１からステップＳ１０４は、被記録媒体ＭＥ１の種類及びラミネートフィルムの種類を変更し、繰り返し実行してもよい。分光反射率変換式は、被記録媒体ＭＥ１の種類、ラミネートフィルムの種類に応じて複数種類生成し、予め記憶装置１１４に格納させてもよい。
【００３２】
ＣＰＵ１１１は、分光反射率変換式を作成した結果の複数種類を記憶装置１１４内のデータベースに蓄積し、蓄積したデータベースを基に、機械学習を用いて、第１の分光反射率Ｒ１と第２の分光反射率Ｒ２とから分光反射率変換式を作成してもよい。機械学習としては、決定木、ランダムフォレスト、クラスタリング、サポートベクタマシン、ニューラルネットワークなどの公知の方法を採用することができる。なお、分光反射率変換式は、１次関数で表すものと説明したが、２次以上の関数で表されたものであってもよい。
【００３３】
ステップＳ１０５は、分光反射率変換式を用いて入力画像が印刷される印刷物のラミネート加工後の分光反射率を算出するラミネート加工後分光反射率算出工程である。ＣＰＵ１１１は、使用する被記録媒体ＭＥ１の種類、ラミネートフィルムの種類などに応じて、複数種類の分光反射率変換式からラミネート加工後の分光反射率を算出する。ＣＰＵ１１１は、蓄積したデータベースを基に、機械学習を用いて、ラミネート加工後の分光反射率を算出してもよい。
【００３４】
ステップＳ１０６は、算出されたラミネート加工後の分光反射率と観察光源の光源分布とに基づいてラミネート加工後に印刷物の入力画像ＩＭ０の色を再現させるラミネート加工後プロファイルとしての第３プロファイル６３０を作成するプロファイル作成工程である。第３プロファイル６３０は、印刷装置２００に依存するＣＭＹＫ色空間などの機器依存色空間と機器非依存色空間との相関関係を記述したＩＣＣプロファイルである。
【００３５】
観察光源は、印刷画像ＩＭ１’が掲示される場所の照明光源である。観察光源としては、標準イルミナントであるＤ６５、昼光イルミナントであるＤ５０，Ｄ５５，Ｄ７５、蛍光ランプであるＦ２，Ｆ６〜Ｆ１２などがあり、その光源分布データが記憶装置１１４に格納されている。例えば、ＣＰＵ１１１は、ステップＳ１０５で算出されたラミネート加工後の分光反射率と、Ｄ５０の分光分布データとからラミネート加工後に入力画像ＩＭ０の色を再現させるＣＭＹＫ色空間の色彩値ｃｍｙｋ２を算出する。そして、ＣＰＵ１１１は、図８に示す、機器非依存のＬＡＢ色空間の色彩値Ｌａｂから印刷装置２００に依存する機器依存のＣＭＹＫ色空間の色彩値ｃｍｙｋ２に変換するＢ２Ａテーブルを含む第３プロファイル６３０を作成する。
【００３６】
第３プロファイル６３０のＢ２Ａテーブルは、色彩値Ｌａｂの座標値Ｌｊ，ａｊ，ｂｊと、印刷装置２００の色彩値ｃｍｙｋ２の座標値ｃ２ｊ，ｍ２ｊ，ｙ２ｊ，ｋ２ｊとの対応関係を規定したデータである。この場合のＢ２Ａテーブルの格子点ＧＤ２は、通常、Ｌａｂ色空間にＬ軸、ａ軸、及び、ｂ軸へ略等間隔となるように並べられる。変数ｊは、Ｌａｂ色空間に設定された格子点ＧＤ２を識別する変数である。なお、ステップＳ１０１からステップＳ１０６は、印刷実行の事前に行ってもよいし、印刷実行時に行ってもよい。
【００３７】
ステップＳ１０７は、ラミネート加工前に入力画像ＩＭ０の色を再現させるラミネート加工前プロファイルとしての第２プロファイル６２０と第３プロファイル６３０とからデバイスリンクプロファイル６４０を作成するデバイスリンクプロファイル作成工程である。以下の説明では、デバイスリンクプロファイル６４０をＤＬＰ６４０と記す。図１に示すＲＩＰ４００から出力された機器依存のＣＭＹＫ色空間の色彩値ｃｍｙｋ１は、第２プロファイル６２０に含まれるＡ２Ｂテーブルに従って、機器非依存のＬＡＢ色空間の色彩値Ｌａｂに変換される。
【００３８】
第２プロファイル６２０のＡ２Ｂテーブルは、色彩値ｃｍｙｋ１の座標値ｃ１ｉ，ｍ１ｉ，ｙ１ｉ，ｋ１ｉと色彩値Ｌａｂの座標値Ｌｉ，ａｉ，ｂｉとの対応関係を規定したデータである。この場合のＡ２Ｂテーブルの格子点ＧＤ１は、通常、ＣＭＹＫ色空間にＣ軸、Ｍ軸、Ｙ軸、及び、Ｋ軸へ略等間隔となるように並べられる。ここでの変数ｉは、ＣＭＹＫ色空間に設定された格子点ＧＤ１を識別する変数である。
【００３９】
図８に示すＡ２Ａテーブルは、ＣＰＵ１１１によって第２プロファイル６２０のＡ２Ｂテーブルと第３プロファイル６３０のＢ２Ａテーブルとを合成して作成したＤＬＰ６４０の一例である。ＤＬＰ６４０は、ＲＩＰ４００から出力された色彩値ｃｍｙｋ１の座標値ｃ１ｉ，ｍ１ｉ，ｙ１ｉ，ｋ１ｉとラミネート加工後に入力画像ＩＭ０の色を再現させる色彩値ｃｍｙｋ２の座標値ｃ２ｉ，ｍ２ｉ，ｙ２ｉ，ｋ２ｉとの対応関係を規定したデータである。この場合のＡ２Ａテーブルの格子点ＧＤ１は、第２プロファイル６２０のＡ２Ｂテーブルの格子点である。ここでの変数ｉは、ＣＭＹＫ色空間に設定された格子点ＧＤ１を識別する変数である。
【００４０】
ステップＳ１０８は、第２色分版テーブル作成工程である。ＣＰＵ１１１は、ステップＳ１０７で作成したＤＬＰ６４０と既存の第１色分版テーブル７５０ａとを合成して、新たに第２色分版テーブル７５０ｂを作成する。第２色分版テーブル７５０ｂは、ＣＭＹＫ色空間の色彩値ｃｍｙｋ１と、ラミネート加工後に入力画像ＩＭ０の色を再現させるＣ，Ｍ，Ｙ，Ｋ，Ｌｃ，Ｌｍなどのそれぞれのインク使用量ＩＮＫ２を表す階調値と、が対応付けられたテーブルとなる。なお、ステップＳ１０４からステップＳ１０８は、記憶装置１１４に記憶された第２色分版テーブル生成プログラムをＣＰＵ１１１が実行することで処理される。
【００４１】
ステップＳ１０９は、第１色分版テーブル７５０ａから第２色分版テーブル７５０ｂに変換する色分版テーブル変換工程である。ラミネート加工させる印刷物を印刷する場合、ＣＰＵ１１１は、第１色分版テーブル７５０ａから第２色分版テーブル７５０ｂに変換する。これにより、印刷装置２００にて被記録媒体ＭＥ１上に印刷画像ＩＭ２が形成され、さらに印刷画像ＩＭ２の形成された被記録媒体ＭＥ１をラミネート装置３００でラミネート加工することで入力画像ＩＭ０の色を再現した印刷画像ＩＭ１’を得ることができる。なお、説明の便宜上、図１では、ラミネート加工しない場合と、ラミネート加工する場合との２系統の印刷ルートを図示したが、実際には、ラミネート加工の有無に応じて第１色分版テーブル７５０ａと第２色分版テーブル７５０ｂとが変換される。
【００４２】
印刷物をラミネート加工しない場合は、入力画像ＩＭ０の色彩値ＲＧＢｉｎが第２プロファイル６２０によりＣＭＹＫ色空間の色彩値ｃｍｙｋ１に変換され、入力画像ＩＭ０の色を再現した印刷画像ＩＭ１が印刷装置２００で形成される。印刷物をラミネート加工する場合は、ＣＭＹＫ色空間の色彩値ｃｍｙｋ１が第２色分版テーブル７５０ｂに含まれる第３プロファイル６３０によってＣＭＹＫ色空間の色彩値ｃｍｙｋ２に変換され、ラミネート加工後に入力画像ＩＭ０の色を再現する印刷画像ＩＭ２が印刷装置２００で形成される。印刷画像ＩＭ２は、ラミネート装置３００でラミネート加工されることにより、入力画像ＩＭ０の色を再現した印刷画像ＩＭ１’を得る。印刷画像ＩＭ１を測色装置１２０で測色した分光反射率の結果と、印刷画像ＩＭ１’を測色装置１２０で測色した分光反射率の結果との色差ΔＥは、印刷画像ＩＭ’のガマット内にある色において、２以下であった。
【００４３】
以上述べたように、本実施形態に係る印刷方法及び画像処理装置１００によれば、以下の効果を得ることができる。
入力画像ＩＭ０をラミネート加工する被記録媒体ＭＥ１に印刷する場合の印刷方法は、被記録媒体ＭＥ１に印刷したカラーチャートＣＴ１と、更にラミネート加工したカラーチャートＣＴ２とを測色する。取得したラミネート加工前の第１の分光反射率Ｒ１とラミネート加工後の第２の分光反射率Ｒ２とから分光反射率変換式が作成される。ラミネート加工後に入力画像ＩＭ０の色を再現する第３プロファイル６３０は、分光反射率変換式に基づいて作成される。第３プロファイル６３０は、正確な実測値に基づいているので、印刷物をラミネート加工した後に入力画像ＩＭ０の色を高精度に再現させるプロファイルが生成される。
【００４４】
本印刷方法においては、可視光線の波長範囲３８０ｎｍ〜７３０ｎｍを１０ｎｍ間隔の波長毎に分光反射率変換式が生成される。これにより、好適に第３プロファイル６３０を作成することができる。
【００４５】
分光反射率変換式の作成に機械学習を用いることで、第３プロファイル６３０による入力画像ＩＭ０の色再現性が向上される。
ラミネート加工後の分光反射率の予想に機械学習を用いることで、第３プロファイル６３０による入力画像ＩＭ０の色再現性が向上される。
【００４６】
ラミネート加工しない場合に印刷される印刷画像ＩＭ１の分光反射率と、ラミネート加工する場合に印刷される印刷画像ＩＭ２をラミネート加工して得られる印刷画像ＩＭ１’の分光反射率とから得られる色差ΔＥは、印刷画像ＩＭ’のガマット内にある色において、２以下であった。これにより、色差ΔＥが、印刷画像ＩＭ’のガマット内にある色において、２以下となる印刷方法を提供することができる。
【００４７】
入力画像ＩＭ０をラミネート加工する被記録媒体ＭＥ１に印刷するための印刷データを生成する画像処理装置１００は、実測されたラミネート加工前の第１の分光反射率Ｒ１とラミネート加工後の第２の分光反射率Ｒ２とから作成した分光反射率変換式に基づいて、ラミネート加工後に入力画像ＩＭ０の色を再現する第３プロファイル６３０を作成する。第３プロファイル６３０は、正確な実測値に基づいているので、印刷物をラミネート加工した後に入力画像ＩＭ０の色を高精度に再現させる第３プロファイル６３０を生成することができる。
【００４８】
以下に、実施形態から導き出される内容を記載する。
【００４９】
印刷方法は、入力画像をラミネート加工させる被記録媒体に印刷する場合の印刷方法であって、複数パッチのカラーチャートを前記被記録媒体に印刷するカラーチャート印刷工程と、印刷された前記カラーチャートを測色してラミネート加工前の第１の分光反射率を取得する第１分光反射率取得工程と、ラミネート加工された前記カラーチャートを測色してラミネート加工後の第２の分光反射率を取得する第２分光反射率取得工程と、前記第１の分光反射率から前記第２の分光反射率に変換する分光反射率変換式を作成する分光反射率変換式作成工程と、前記分光反射率変換式を用いて前記入力画像が印刷される印刷物の前記ラミネート加工後の分光反射率を算出するラミネート加工後分光反射率算出工程と、算出された前記ラミネート加工後の分光反射率と観察光源の光源分布とに基づいてラミネート加工後に前記入力画像の色を再現させるラミネート加工後プロファイルを作成するプロファイル作成工程と、ラミネート加工前に前記入力画像の色を再現させるラミネート加工前プロファイルと前記ラミネート加工後プロファイルとからデバイスリンクプロファイルを作成するデバイスリンクプロファイル作成工程と、を有することを特徴とする。
【００５０】
この方法によれば、入力画像をラミネート加工する被記録媒体に印刷する場合の印刷方法は、測色したラミネート加工前の第１の分光反射率とラミネート加工後の第２の分光反射率とから作成した分光反射率変換式に基づいてラミネート加工後プロファイルを作成する。ラミネート加工後プロファイルは正確な実測値に基づいているので、印刷物をラミネート加工した後に入力画像の色を高精度に再現させるプロファイルを生成することができる。
【００５１】
上記の印刷方法において、前記分光反射率変換式作成工程は、可視光線における任意の間隔の波長毎に前記分光反射率変換式を作成することが好ましい。
【００５２】
この方法によれば、任意の間隔の波長毎に分光反射率変換式を作成することにより、好適にラミネート加工後プロファイルを作成することができる。
【００５３】
上記の印刷方法において、前記分光反射率変換式作成工程は、前記分光反射率変換式を作成した結果の複数種類をデータベースに格納し、前記データベースを基に、機械学習を用いて、前記分光反射率変換式を作成することが好ましい。
【００５４】
この方法によれば、分光反射率変換式の作成に機械学習を用いることで、ラミネート加工後プロファイルによる入力画像の色再現性が向上される。
【００５５】
上記の印刷方法において、前記ラミネート加工後分光反射率算出工程は、機械学習を用いて、前記ラミネート加工後の分光反射率を算出することが好ましい。
【００５６】
この方法によれば、ラミネート加工後の分光反射率の予想に機械学習を用いることで、ラミネート加工後プロファイルによる入力画像の色再現性が向上される。
【００５７】
上記の印刷方法において、前記ラミネート加工後プロファイルにより変換された前記入力画像を印刷した印刷物を前記ラミネート加工後に測色した分光反射率の結果と、前記ラミネート加工前プロファイルにより変換された前記入力画像を印刷した印刷物を測色した分光反射率の結果と、の色差ΔＥは、前記ラミネート加工後の印刷物のガマット内にある色において、２以下であることが好ましい。
【００５８】
この方法によれば、ラミネート加工後プロファイルに基づいて印刷しラミネート加工された印刷物と、ラミネート加工前プロファイルに基づいて印刷した印刷物との色差ΔＥが、ラミネート加工後の印刷物のガマット内にある色において、２以下となる印刷方法を提供することができる。
【００５９】
画像処理装置は、入力画像をラミネート加工させる被記録媒体に印刷するための印刷データを生成する画像処理装置であって、印刷された複数パッチのカラーチャートをラミネート加工前にて測色された第１の分光反射率と、前記カラーチャートをラミネート加工後にて測色された第２の分光反射率と、に基づいて前記第１の分光反射率から前記第２の分光反射率に変換する分光反射率変換式を作成し、前記分光反射率変換式を用いて前記入力画像が印刷される印刷物のラミネート加工後の分光反射率を算出し、算出された前記ラミネート加工後の分光反射率と観察光源の光源分布とに基づいてラミネート加工後に前記入力画像の色を再現させるラミネート加工後プロファイルを作成し、ラミネート加工前に前記入力画像の色を再現させるラミネート加工前プロファイルと前記ラミネート加工後プロファイルとに基づいてデバイスリンクプロファイルを作成する、処理部を備えることを特徴とする。
【００６０】
この構成によれば、画像処理装置は、測色された第１の分光反射率と第２の分光反射率とに基づいてラミネート加工後プロファイルを作成する。ラミネート加工後プロファイルは、正確な実測値に基づいているので、印刷物をラミネート加工した後に入力画像の色を高精度に再現させるプロファイルを生成することができる。
【符号の説明】
【００６１】
１００…画像処理装置、１１１…処理部としてのＣＰＵ、１１２…ＲＯＭ、１１３…ＲＡＭ、１１４…記憶装置、１１５…入力装置、１２０…測色装置、１３０…表示装置、２００…印刷装置、３００…ラミネート装置、６１０…第１プロファイル、６２０…ラミネート加工前プロファイルとしての第２プロファイル、６３０…ラミネート加工後プロファイルとしての第３プロファイル、６４０…デバイスリンクプロファイル、７５０ａ…第１色分版テーブル、７５０ｂ…第２色分版テーブル、ＣＴ０…カラーチャート画像、ＣＴ１，ＣＴ２…カラーチャート、ＩＭ０…入力画像、ＩＭ１，ＩＭ１’,ＩＭ２…印刷物としての印刷画像、ＭＥ１…被記録媒体、Ｒ１…第１の分光反射率、Ｒ２…第２の分光反射率。
【図１】
2020182050.tif 000003
【図２】
2020182050.tif 000004
【図３】
2020182050.tif 000005
【図４】
2020182050.tif 000006
【図５】
2020182050.tif 000007
【図６】
2020182050.tif 000008
【図７】
2020182050.tif 000009
【図８】
2020182050.tif 000010